(57)【特許請求の範囲】
【請求項１】
座便器に設けられる本体、前記本体の正面に装着されて座便器に載置される便座、前記本体に、回動結合部分で回転可能に結合しながら前記便座を開放または密閉する便蓋を含み、
前記本体は、半円形状からなっていて上部に傾斜面を有する第１筒、前記第１筒上で前記傾斜面の中央領域に位置して前記第１筒と連通する第２筒、前記第１筒上で前記第２筒から前記半円形状の円弧の一部に向けて延長して前記第１筒及び前記第２筒と連通する第３筒を含んで構成され、
前記便座は、前記第２筒と結合して前記第２筒に対して回動し、前記第２筒から前記本体の反対側に向けて延長構成され、
前記便蓋は、前記第３筒と結合して前記第３筒に対して回動するように構成され、
前記第１筒の前記半円形状の前記円弧に接する前記第１筒と前記第３筒の高さは、側面から見て、前記傾斜面上に位置する便座の第１長さおよび前記第１筒の前記傾斜面から前記本体の前記反対側に向けて延長される便座の第２長さそれぞれよりも小さく構成されることを特徴とする温水洗浄機。
【請求項２】
前記第１筒と前記便蓋は、前記第１筒の前記傾斜面の一部分で、垂直に同一面上に互いに対向する側面をそれぞれ有するように構成されることを特徴とする請求項１に記載の温水洗浄機。
【請求項３】
前記第２筒は、平面から見て、前記第１筒の前記半円形状の直径から前記円弧に向う方向に、前記第３筒の幅よりも大きく構成されることを特徴とする請求項１に記載の温水洗浄機。
【請求項４】
前記便蓋は、側面から見て、下部面と上部面に第１変曲点と第２変曲点をそれぞれ有し、
前記第１変曲点は前記第１筒の前記半円形状の直径周辺に位置され、
前記第２変曲点は前記第１変曲点から前記本体の前記反対側に向けて離隔されることを特徴とする請求項１に記載の温水洗浄機。
【請求項５】
前記第１筒と前記第３筒の前記高さは、８８〜９０ｍｍの範囲内に位置されることを特徴とする請求項４に記載の温水洗浄機。
【請求項６】
前記第１変曲点が前記便座の前記第１長さと前記第２長さとを区分することを特徴とする請求項４に記載の温水洗浄機。
【請求項７】
前記第１筒と前記第３筒の前記高さは、前記便座の前記第１長さよりもさらに小さい大きさを有することを特徴とする請求項４に記載の温水洗浄機。
【請求項８】
前記第１筒と前記第３筒の前記高さは、前記便座の前記第１長さの約５５〜５８％の間に位置されることを特徴とする請求項７に記載の温水洗浄機。
【請求項９】
前記便座の前記第１長さは、前記便座の前記第２長さよりもさらに短く構成されることを特徴とする請求項７に記載の温水洗浄機。
【請求項１０】
前記便座の前記第１長さと前記第２長さは、４：６の割合で構成されることを特徴とする請求項９に記載の温水洗浄機。
【請求項１１】
前記第１変曲点を通りながら前記下部面に接する第１ラインと前記第２変曲点を通りながら前記第１ラインに平行に位置する第２ラインとの間の高さは、
前記第２ラインと前記第２ラインから平行に離隔して前記第３筒の最上位レベルに位置する第３ラインとの間の高さと同一に構成されることを特徴とする請求項４に記載の温水洗浄機。
【請求項１２】
前記第２ラインは、前記第１筒及び前記第３筒との間を経ることを特徴とする請求項１１に記載の温水洗浄機。
【請求項１３】
前記第２筒及び前記第３筒にそれぞれ位置する前記便座及び前記便蓋の回動結合部分は、前記第２ラインと前記第３ラインとの間で、前記便蓋の長手方向に沿って水平に位置されることを特徴とする請求項１１に記載の温水洗浄機。
【請求項１４】
前記第２変曲点から前記第１筒の前記傾斜面に向けて位置する便蓋の第１長さは、
前記第２変曲点から前記本体の反対側に向けて位置する便蓋の第２長さと同一であることを特徴とする請求項４に記載の温水洗浄機。
【請求項１５】
前記便蓋の前記第１変曲点から前記便蓋の回動結合部分の中心を通る第１延長線と第１ラインとの間の第１角度は、
前記便蓋の第１変曲点から前記第１筒の前記傾斜面に接する前記便蓋の接触面を通る第２延長線と前記第１ラインとの間の第２角度よりも小さいことを特徴とする請求項４に記載の温水洗浄機。
【請求項１６】
前記第１角度は、本体内部の部品配置及び本体自体の高さを反映した１６〜１９°の範囲内の角度であることを特徴とする請求項１５に記載の温水洗浄機。
【請求項１７】
前記便蓋は、便座の上面に密着されて前記便座の上部を密閉する密閉部と、前記密閉部の縁から下端に延長突出されて前記便座の側部に密着しながら前記便座の側部を密閉する密接部と、が構成されることを特徴とする請求項１に記載の温水洗浄機。
【発明の詳細な説明】
【技術分野】
【０００１】
本発明の実施形態は、温水洗浄機に関し、より詳しくは、便蓋の長手方向に沿って本体と水平に結合された便座と便蓋との回動結合部分を含む温水洗浄機の本体構造をスリム化させて美観上の美しさ及び設置時の容易性と空間配置の効率的使用を可能とした温水洗浄機(ＢＩＤＥＴ)に関する。
【背景技術】
【０００２】
一般に、温水洗浄機は、宿泊施設または一般家庭でトイレの座便器上に位置し、座便設備として広く用いられている。前記温水洗浄機は、使用者の用便後にノ−ズルを介して使用者の肛門及び／または陰部に洗浄水を噴射して流すことで、トイレットペーパーを代替するものである。
【０００３】
その場合に、前記温水洗浄機は、本体及び便蓋と便座を有する。前記本体及び便蓋と便座は、温水洗浄機で使用者の用便時に使用者を取り囲むように構成される。よって、前記本体は、座便器の後部に位置し、便蓋及び便座に回動結合される。前記便蓋の回動結合部分は、本体で便蓋の回動結合部分と異なるレベルに位置する。
【０００４】
さらに詳しく説明すると、添付の図１及び図２のように温水洗浄機Ａは、便蓋３００が便座２００の上面のみを被せるように構成する場合、前記便蓋３００の回動結合部分Ｐ１００は、本体１００から便座２００の回動結合部分Ｐ２００よりもさらに高く位置される。前記本体１００は、便蓋３００及び便座２００の回動結合部分と結合するために、便蓋３００及び便座２００の厚さよりもさらに高い高さＨ１００を有することになる。
【０００５】
また、前記便蓋３００と本体１００、または便蓋３００と便座２００との間の接触騷音を低減させるために、前記便蓋３００が本体１００を制限する最外郭の側壁から突出されるために、前記便蓋３００及び本体１００は互いに対して垂直に重なる側壁を温水洗浄機に提供するように構成されている。
【０００６】
これにより、使用者は、温水洗浄機を購入する際、本体、便蓋及び／または便座の大きさによって、トイレ内の温水洗浄機の占有空間に対する負担を感じながら購買したり、温水洗浄機を使用したりする際に、本体、便蓋及び／または便座の形状によって温水洗浄機使用上の不便さを甘受しながら身体の一部を自動洗浄していた。
【先行技術文献】
【特許文献】
【０００７】
【特許文献１】大韓民国特許登録公報第10-115791号(登録日: 2012年6月12日)
【発明の概要】
【発明が解決しようとする課題】
【０００８】
本発明が解決しようとする課題は、便蓋の長手方向に沿って本体と水平に結合される便座及び／または便蓋の回動結合部分を含む温水洗浄機の本体構造をスリム化し、使用者が温水洗浄機を購入時に、トイレを占める占有空間に対する負担を低減させながら美観上の美しさ及び設置時の容易性と空間配置の効率的使用が可能とさせ、温水洗浄機を利用する際にトイレで利用するのに不便さが改善されるような温水洗浄機を提供することにある。
【０００９】
本発明が解決しようとする他の課題は、上記課題に限定せず、ここに言及しない他の課題は以下の説明から当業者にとって十分に理解できるものであろう。
【課題を解決するための手段】
【００１０】
本発明の実施形態による温水洗浄機が提供される。
前記温水洗浄機は、半円形状であって、座便器に設けられる本体、前記本体の正面に装着されて座便器に載置される便座、前記本体に回動結合部分で回転可能に結合しながら前記便座を開放または密閉する便蓋を含み、前記便蓋は、側面から見て、下部面と上部面に第１変曲点と第２変曲点をそれぞれ有するように構成し、前記便蓋で便座密閉時、前記便蓋の回動結合部分から前記第１変曲点に延長される延長線と前記本体の水平線とのなす角度が第１角度となるように構成したものである。
【００１１】
また、前記第１角度は、本体内部の部品配置及び本体自体の高さを反映した１６〜１９°の範囲内の角度である。
【００１２】
また、前記便蓋は、便座の上面に密着されて前記便座の上部を密閉する密閉部と、前記密閉部の端から下端に延長突出されて前記便座の側部に密着しながら前記便座の側部を密閉する密接部を構成したものである。
【００１３】
また、前記第１変曲点は前記本体の半円形状の直径周辺に位置し、前記第２変曲点は前記第１変曲点から前記本体の反対側に向けて離隔される。
【００１４】
また、前記便座は第１長さと第２長さより形成されるが、前記第１長さと第２長さは前記第１変曲点により区分される。
【００１５】
また、前記本体の高さは、前記便座の第１長さの約５５〜５８％との間に位置される。
【００１６】
また、前記本体の高さは、約８８〜９０ｍｍの範囲内の高さである。
【００１７】
また、前記便座の前記第１長さは、前記便座の前記第２長さより短く構成される。
【００１８】
また、前記便座の前記第１長さと前記第２長さとは、約４：６の割合で構成される。
【００１９】
また、前記第１変曲点を通りながら前記下部面に接する第１ラインと、前記第２変曲点を通りながら前記第１ラインに平行に位置される第２ラインとの間に高さは、前記第２ラインと前記第２ラインから平行に離隔して前記本体の最上位レベルに位置する第３ラインとの間の高さと等しい。
【００２０】
また、前記本体に位置する前記便蓋の回動結合部分は、前記第２ラインと前記第３ラインとの間で前記便蓋の長手方向に沿って水平に位置する。
【００２１】
前記第２変曲点から前記本体の第１方向に向けて位置する便蓋の第１長さは、前記第２変曲点から前記本体の第１方向と反対する第２方向に向けて位置する便蓋の第２長さと等しい。
【００２２】
また一方、前記温水洗浄機は、座便器に設けられる本体、前記本体の正面に装着されて座便器に載置される便座、前記本体に回動結合部分で回転可能に結合しながら前記便座を開放または密閉する便蓋を含み、前記本体は半円形状からなっていて上部に傾斜面を有する第１筒、前記第１筒上で前記傾斜面の中央領域に位置し、前記第１筒と連通する第２筒、前記第１筒上で前記第２筒から前記半円形状の円弧の一部に向けて延長し、前記第１筒及び前記第２筒と連通する第３筒を含んで構成され、前記便座は前記第２筒と結合して前記第２筒に対して回動し、前記第２筒から前記本体の反対側に向けて延長構成され、前記便蓋は前記第３筒と結合して前記第３筒に対して回動するように構成され、前記第１筒の前記半円形状の前記円弧に接する前記第１筒と前記第３筒の高さは、側面から見て、前記傾斜面上に位置する便座の第１長さと、前記第１筒の前記傾斜面から前記本体の前記反対側に向けて延長される便座の第２長さとの間の高さを有するように構成したものである。
【００２３】
前記第１筒と前記便蓋は、前記第１筒の前記傾斜面の一部分で垂直に同一面上に互いに対向する側面をそれぞれ有する。
【００２４】
前記第２筒は、平面から見て、前記第１筒の前記半円形状の直径から前記円弧に向う方向に、前記第３筒の幅よりも大きい。
【００２５】
前記便蓋は、側面から見て、下部面と上部面に第１変曲点と第２変曲点をそれぞれ有し、前記第１変曲点は前記第１筒の前記半円形状の直径周辺に位置し、前記第２変曲点は前記第１変曲点から前記本体の前記反対側を向けて離隔される。
【００２６】
前記第１筒と前記第３筒の前記高さは、約８８〜９０ｍｍの間に位置する。
【００２７】
前記第１変曲点は、前記便座の前記第１長さと前記第２長さとを区分する。
【００２８】
前記第１筒と前記第３筒の前記高さは、前記便座の前記第１長さよりもさらに小さい高さを有する。
【００２９】
前記第１筒と前記第３筒の前記高さは、前記便座の前記第１長さの約５５〜５８％の間に位置する。
【００３０】
前記便座の前記第１長さは、前記便座の前記第２長さよりさらに短く構成される。
【００３１】
前記便座の前記第１長さと前記第２長さは、４：６の割合を有するように構成したものである。
【００３２】
前記第１変曲点を通りながら前記下部面に接する第１ラインと、前記第２変曲点を通りながら前記第１ラインに平行に位置する第２ラインとの間の高さは、前記第２ラインと前記第２ラインから平行に離隔して前記第３筒の最上位レベルに位置する第３ラインとの間の高さと等しい。
【００３３】
前記第２ラインは、前記第１筒及び前記第３筒との間を通る。
【００３４】
前記第２筒及び前記第３筒にそれぞれ位置する前記便座及び前記便蓋の回動結合部分は、前記第２ラインと前記第３ラインとの間で前記便蓋の長手方向に沿って水平に位置する。
【００３５】
前記第２変曲点から前記第１筒の前記傾斜面に向けて位置する便蓋の第１長さは、前記第２変曲点から前記本体の反対側に向けて位置する便蓋の第２長さと等しい。
【００３６】
前記便蓋の前記第１変曲点から前記便蓋の回動結合部分の中心を通る第１延長線と第１ラインとの間の角度は、前記便蓋の第１変曲点から前記第１筒の前記傾斜面に接する前記便蓋の接触面を通る第２延長線と前記第１ラインとの間の角度よりも小さい。
【発明の効果】
【００３７】
以上説明したように、本発明の実施形態に係る温水洗浄機は、便蓋の長手方向に沿って本体と水平に結合される便座及び／または便蓋の回動結合部分を便蓋の長手方向に沿って水平に位置させて本体の高さを従来技術よりも低くして温水洗浄機の本体構造をスリム化させたものである。
【００３８】
前記温水洗浄機は、本体高さを、従来技術よりも低くして全体的にスリム化された構造を実現させたので、使用者が温水洗浄機を購入時に、トイレを占める占有空間に対する負担をなくしながら美観上の美しさ及び設置時の容易性と空間配置の効率的使用を可能とさせ、温水洗浄機を使用する際、トイレで使用するのに不便さが改善されることができる。
【００３９】
前記温水洗浄機は、本体の最外郭の側壁から便蓋の側壁を突出させなくて外部美観に曲線及び／または曲面の滑らかさと安定的な美しさを、従来技術よりもさらに付与することができる。
【００４０】
前記温水洗浄機は、本体の最外郭の側壁から便蓋の側壁を突出させないので、人体工学的に安らかな構造を実現して使用者に温水洗浄機利用時にトイレで使用するのに不便さを低減させることができる。
【図面の簡単な説明】
【００４１】
【図１】従来の温水洗浄機の本体構造を示す斜視図である。
【図２】従来の温水洗浄機の補体構造を示す側面例示図である。
【図３】本発明の実施形態による温水洗浄機を示す斜視図である。
【図４】図３の温水洗浄機で互いに離隔される便座及び便蓋を示す斜視図である。
【図５】本発明の第１実施形態による温水洗浄機の側面例示図である。
【図６】本発明の第１実施形態による温水洗浄機の側面例示図である。
【図７】本発明の第２実施形態による温水洗浄機の側面例示図である。
【図８】本発明の第２実施形態による温水洗浄機の側面例示図である。
【図９】本発明の第２実施形態による温水洗浄機の側面例示図である。
【図１０】温水洗浄機をトイレ内の設置方法及び温水洗浄機の利用方法を説明する概要図である。
【発明を実施するための形態】
【００４２】
本発明の第１実施形態による温水洗浄機を、図３ないし図６を参照してより詳しく説明する。
【００４３】
添付の図３ないし図６を参照すると、本発明は、座便器に装着して肛門または陰部を洗浄するための温水洗浄機Ａであって、前記温水洗浄機Ａは、座便器に設けられる本体１０と、前記本体１０の正面に装着されて座便器に載置され、第１、２長さＳ１、Ｓ２に区分される便座２９と、前記本体１０の上部に回動結合部分Ｐ２で回転可能に結合しながら便座２９を開放または密閉させるようにする便蓋３０を含んで形成される。
【００４４】
前記本体１０は、座便器の上部に装着されてボタン操作部１４の作動によって本体１０内部のノズル１０ａから水が噴射されながら肛門または陰部を洗浄することになる。
【００４５】
また、前記本体１０の後部は、外的審美感を最大化することができるように半月状の楕円形で形成される。
【００４６】
一方、前記本体１０自体の高さＨは、設計上８８〜９０ｍｍの範囲内で形成されることが好ましい。
【００４７】
前記便蓋３０は、側面から見て、下部面と上部面にそれぞれ前記便座２９の第１長さＳ１と第２長さＳ２を区分させる第１変曲点Ｃ１、そして第２変曲点Ｃ２をそれぞれ有することで、内部面には便座２９が密着されて密閉されるように密閉部３１が形成される。
【００４８】
また、前記便蓋３０の下部周りには、便座２９を密閉させて覆うように密接部３２が形成される。
【００４９】
そこで、前記第１変曲点Ｃ１は、前記本体１０の半円形状の直径周辺に位置され、前記第２変曲点Ｃ２は、前記第１変曲点Ｃ１から前記本体１０の前記反対側に向けて離隔されている。
【００５０】
このとき、前記第１変曲点Ｃ１を通りながら前記便蓋３０の下部面に接する第１ラインＬ１と前記第２変曲点Ｃ２を通りながら前記第１ラインＬ１に平行に位置する第２ラインＬ２との間の第１高さＨ１は、前記第２ラインＬ２と前記第２ラインＬ２から平行に離隔して前記本体１０の最上位レベルに位置する第３ラインＬ３との間の第２高さＨ２と同一高さとした。
【００５１】
そして、前記本体１０に位置する前記便蓋３０の回動結合部分Ｐ２は、前記第２ラインＬ２と前記第３ラインＬ３との間で、前記便蓋３０の長手方向に沿って水平に位置し、前記第２変曲点Ｃ２から前記本体１０の第１方向（図面基準に左側方向）に向けて位置する便蓋３０の第１長さＳ３は、前記第２変曲点Ｃ２から前記本体１０の第１方向と反対する第２方向（図面基準に右側方向）に向けて位置する便蓋３０の第２長さＳ４と同一高さに設計した。
【００５２】
前記本体１０と便蓋３０は、便座２９を密閉させた場合に、前記便蓋３０の第2回動結合部分Ｐ２と前記便蓋３０が水平面と同一線上で交わる交差点を延長した延長線と本体１０の水平線とがなす第１角度θ１は所定角度であって、１６〜１９°の範囲内に維持することが好ましく、これは、本体１０の内部の部品配置及び本体１０自体の高さＨを反映した最適な角度である。
【００５３】
そして、前記便座２９が水平面と接する第２長さＳ２と前記便座２９が本体１０に傾斜している第１長さＳ１とは所定の割合をなす。
すなわち、前記便座２９の前記第１長さＳ１は、前記便座２９の前記第２長さＳ２よりも短く構成されることになるが、前記便座２９が水平面と接する第２長さＳ２と前記便座２９が本体１０に傾斜している第１長さＳ１とは、４：６の割合で形成される。
【００５４】
一方、前記便座２９が本体１０に傾斜している第１長さＳ１は設計上１５６ｍｍであり、前記便座２９が水平面と接する第２長さＳ２は１５６ｍｍであることが好ましく、前記本体１０自体の高さＨは、前記便座２９が本体１０に傾斜している第１長さＳ１のおおよそ５５〜５８％の範囲内あるが、特に、これに限定されない
【００５５】
前記のような構造からなる本発明の実施形態による温水洗浄機Ａは、本体１０が座便器に装着され、前記本体１０の後部が半月状の楕円形に形成されることで、座便器に装着される本体１０の外的審美感を最大化して本体１０自体のスリム化に対する視覚的効率を最大にすることができる。
【００５６】
また、前記本体１０に便蓋３０が回動結合部分Ｐ２で連結されて便蓋３０が回動結合部分Ｐ２を軸に回転しながら前記便座２９を開放または密閉させる際、前記便座２９が便蓋３０の密閉部３１に密着して密閉されることになり、前記便蓋３０を密閉する際は前記便蓋３０の密接部３２が便座２９の外郭を被せたようになって、前記便蓋３０が便座２９を完全に被せながら密閉させるものである。
【００５７】
したがって、本発明の実施形態による温水洗浄機Ａは、前記便座２９を被せるようになる便蓋３０が便座２９の外郭全体を覆いながら被せるので、座便器内の悪臭が外部に排出されないように遮断することができる。
【００５８】
このように、前記便蓋３０で密閉した場合に、便蓋３０の回動重心点である回動結合部分Ｐ２と便蓋３０が水平面と同一線上で交わる交差点とを延長した延長線と、本体１０の水平線とがなす第１角度θ１が、１６〜１９°の所定角度となることで、前記本体１０の自体スリム化を図ることができる。
【００５９】
そして、前記便座２９が水平面と接する第２長さＳ２と前記便座２９が本体１０に傾斜している第１長さＳ１が、４：６の所定の割合をなし、本体１０の自体高さＨは、便座２９が本体１０に傾斜している第１長さＳ１の５５〜５８％で形成されるので、前記本体１０の構造自体をスリム化するとともに、温水洗浄機Ａの設置が容易であって、空間配置の効率的使用が可能となる。
【００６０】
それと共に、本発明の温水洗浄機Ａは、前記便蓋３０の密閉動作時に便蓋３０が便座２９を被せることで密閉がなされ、便座２９が完全に密閉されるとともに、前記便蓋３０の底面が便座２９の底面と同一線上に形成されながら前記本体１０の自体高さＨを最小化し、スリム化されて空間配置の効率的使用を最大とするので、使用者に対して人体工学的安らかさを提供することができる。
【００６１】
一方、添付の図３及び図４と添付の図７ないし図１０を参照して本発明の第２実施形態を説明するが、以下に、本発明の第１実施形態における図３ないし図６と同一部分については、同一符番としてその重複説明を省略するものとする。
【００６２】
図３及び図４と図７ないし図９を参照すると、本発明の第２実施形態による温水洗浄機Ａは、本体１０及び便蓋３０を含む。前記本体１０は、平面から見て半円形状の占有空間を占めるように構成される。前記本体１０は、立体的に見る場合に半円形状の直径（ｄｉａｍｅｔｅｒ）から半円形状の円弧（ｃｉｒｃｕｌａｒ  ａｒｃ）に向けて漸次的に増加する厚さを有するように、傾斜した形状（ｔａｐｅｒｅｄ  ｓｈａｐｅ）に構成される。
【００６３】
前記本体１０は、半円形状の直径周辺で最外郭の側面にボタン操作部１４を有する。本実施形態において、前記本体１０の最外郭の側面は、半円形状の円弧に沿って形成された面だけを指称するものとする。前記ボタン操作部１４は一つまたは複数のボタン１８を有する。上記一つまたは複数のボタン１８は、本体１０内の構成要素（図示せず）と電気的に接続するように構成される。
【００６４】
前記便蓋３０は、本体１０上に位置して本体１０と部分的に重畳するように構成される。前記便蓋３０は、本体１０上で本体１０の一部を覆うことができる。前記便蓋３０は、本体１０の半円形状の直径から円弧に向けて、及び本体１０の半円形状の直径から本体１０の反対側に向けて互いに異なるように傾斜されて形成される。
【００６５】
より詳しく説明すると、前記便蓋３０は、本体１０の半円形状の直径周辺に、変曲区間（ｖａｒｉａｔｉｏｎ  ｒｅｇｉｏｎ；ＶＲ）を有しながら前記変曲区間ＶＲを基準に左側及び右側方向に延長される。この場合、前記本体１０上に位置する便蓋３０の側面は、本体１０の最外郭の側面から突出せずに、本体１０の最外郭の側面と垂直するように整列される。
【００６６】
図３及び図４を参照すると、前記本体１０は互いに連通する第１筒３、第２筒６、及び第３筒９を含む。前記第１筒３は、平面から見て半円形状からなっていて、立体的に見た場合に、上部に傾斜面（ｉｎｃｌｉｎｅｄ  ｐｌａｎｅ；ＩＰ）を有するように構成される。
【００６７】
前記傾斜面ＩＰを形成するため、前記第１筒３は、立体的に見た場合に半円形状の直径から半円形状の円弧に向けて漸次的に増加する厚さを有する。この場合に、前記第１筒３は側面にボタン操作部１４を有する。前記第１筒３の側面は、図３によれば第１筒３の傾斜面ＩＰの一部分で、垂直に同一面上に便蓋３０の側面と互いに対向するように形成される。
【００６８】
前記第２筒６は、第１筒３上で傾斜面ＩＰの中央領域に位置するように構成される。前記第３筒９は、第１筒３上で第２筒６から半円形状の円弧の一部に向けて延長するように構成される。前記第２筒６は、平面から見て、第１筒３の半円形状の直径から円弧に向う方向に、第３筒９の幅よりも大きい。
【００６９】
前記便座２９は、第２筒６と結合して第２筒６に対して回転し、前記第２筒６から本体１０の反対側に向けて延長するように構成される。より詳しく説明すると、前記便座２９は便座台２３及び便座シート２６を含む。前記便座台２３は便座２９の中央領域で輪形状を有する。
【００７０】
前記便座台２３は、便座シート２６の下に位置して便座シート２６を安着させ、便座シート２６から第２筒６に向けて延長される。前記便座台２３は、第２筒６を覆いながら第１回動結合部分Ｐ１を介して第２筒６と結合して第２筒６に対して回動するように構成される。
【００７１】
前記便座シート２６は、弾性部材からなっていて温水洗浄機Ａの使用者に楽な安着感を与えるように構成される。本発明の実施形態によって、前記便蓋３０は、第３筒９を覆いながら第２回動結合部分Ｐ２を介して第３筒９と結合し、第３筒９に対して回動するように構成される。また、前記便蓋３０は、図３のよう便座２９を被せるように構成される。
【００７２】
図７を参照すると、本発明の実施形態によって、前記便蓋３０は、側面から見て、図３の変曲区間ＶＲにおいて下部面３０Ａ１と上部面３０Ａ２に、第１変曲点Ｃ１と第２変曲点Ｃ２をそれぞれ有するように構成される。前記第１変曲点Ｃ１は、本体１０に接する便蓋３０の接触面（ｃｏｎｔａｃｔ  ｓｕｒｆａｃｅ；ＣＳ）と、便蓋３０の下部面３０Ａ１を平行にそれぞれ通る線の交差点である。
【００７３】
より詳しく説明すると、前記第１変曲点Ｃ１は、第１筒３の半円形状の直径周辺に位置する。前記第２変曲点Ｃ２は、図３または図４の便蓋３０の形態を維持するために下部面３０Ａ１に斜めに傾いて対応される上部面３０Ａ２に位置する。よって、前記第２変曲点Ｃ２は、第１変曲点Ｃ１から本体１０の反対側を向けて離隔される。
【００７４】
この場合に、前記第１変曲点Ｃ１を通りながら下部面３０Ａ１に接する第１ラインＬ１と第２変曲点Ｃ２を通りながら第１ラインＬ１に平行に位置する第２ラインＬ２との間の第１高さＨ１は、第２ラインＬ２と第２ラインＬ２から平行に離隔して第３筒９の最上位レベルに位置する第３ラインＬ３との間の第２高さＨ２と等しい。すなわち、前記第２ラインＬ２は温水洗浄機Ａを二等分する。
【００７５】
よって、前記第１高さＨ１と第２高さＨ２は、第１筒３の半円形状の円弧に接する第１筒３と第３筒９の高さＨと等しい。前記第１筒３と第３筒９の高さＨは、約８８〜９０ｍｍの間に位置する。
【００７６】
図８を参照すると、本発明の実施形態により、前記第１筒３の半円形状の円弧に接する第１筒３と第３筒９の高さＨは、側面から見て、図４の第１筒３の傾斜面ＩＰ上に位置する便座２９の第１長さＳ１と、第１筒３の傾斜面ＩＰから本体１０の反対側に向けて延長される便座２９の第２長さＳ２との間の高さを有する。
【００７７】
前記第１変曲点Ｃ１は、便座２９の第１長さＳ１と第２長さＳ２とを区分する。前記便座２９の第１長さＳ１と第２長さＳ２は、温水洗浄機Ａで本体１０と便蓋３０に沿って水平に測定した長さである。前記第１筒３と第３筒９の高さＨは、便座２９の第１長さＳ１よりもさらに小さい高さを有する。
【００７８】
前記第１筒３と第３筒９の高さＨは、便座２９の第１長さＳ１の約５５〜５８％との間に位置する。前記便座２９の第１長さＳ１は、便座２９の第２長さＳ２よりもさらに小さい。前記便座９の第１長さＳ１と第２長さＳ２との比は、約４：６である。
【００７９】
一方、図７の第２ラインＬ２は、第１筒３及び第３筒９との間を通る。すなわち、前記第２ラインＬ２は、便座２９及び便蓋３０の第１回動結合部分Ｐ１と第２回動結合部分Ｐ２との下に位置する。この場合、前記第１回動結合部分Ｐ１と第２回動結合部分Ｐ２は、便蓋３０の長手方向に沿って図７の第２ラインＬ２と第３ラインＬ３との間に水平に位置する。
【００８０】
本発明の実施形態によって、前記第２変曲点Ｃ２から第１筒３の傾斜面ＩＰに向けて位置する便蓋３０の第１長さＳ３は、第２変曲点Ｃ２から本体１０の反対側に向けて位置する便蓋３０の第２長さＳ４と等しい。
【００８１】
図９を参照すると、本発明の実施形態により、前記第１回動結合部分Ｐ１と第２回動結合部分Ｐ２が第２ラインＬ２と第３ラインＬ３との間に水平に位置するので、前記便蓋３０の第１変曲点Ｃ１から便蓋３０の第２回動結合部分Ｐ２の中心を通る第１延長線Ｅ１と、第１ラインＬ１との間の第１角度θ１は、便蓋３０の第１変曲点Ｃ１から第１筒３の傾斜面ＩＰに接する便蓋３０の接触面ＣＳを通る第２延長線Ｅ２と第１ラインＬ１との間の第２角度θ２よりも小さい。
【００８２】
図１０は、図３の温水洗浄機Ａをトイレ内の設置及び利用方法を説明する概要図である。
【００８３】
図１０を参照すると、温水洗浄機Ａは、使用者の購入により所定大きさのボックスｂｏｘで包装されてトイレ９０内に用意される。前記温水洗浄機Ａは、ボックス内で分解された部品となっている。前記分解された部品は、本体１０、便座２９、便蓋３０及び電線４０のように、これらの内部に位置する構成要素とすることができる。
【００８４】
続いて、前記ボックスは、使用者によりトイレで開封され、そして使用者はボックスから分解された部品を取り出してボックス内の組み立てマニュアルにより部品を組み立てることができる。前記組み立てられた部品は本発明の実施形態による温水洗浄機Ａとして実現する。
【００８５】
次に、前記温水洗浄機Ａは、トイレ９０の座便器６０上に位置することができる。前記温水洗浄機Ａの電線４０は、プラグによりトイレ９０の壁８０に位置するコンセントに接続される。前記温水洗浄機Ａが、座便器６０上に位置された後に、前記使用者はボックス内の使用マニュアルによって温水洗浄機Ａを試験的に可動させて温水洗浄機Ａの正常駆動を確認することができる。
【００８６】
前記温水洗浄機Ａの正常駆動が確認されたら、前記使用者は温水洗浄機Ａの便座２９上に便蓋３０を位置させることができる。前記使用者はトイレドア７０を介してトイレ９０から室内７５に移動して他の用事を済ますことができる。前記使用者が小便及び／または大便のためにトイレ９０を利用する場合に、前記使用者はトイレドア７０を介して室内７５からトイレ９０に移動して温水洗浄機Ａに近付くことができる。
【００８７】
ここで、前記使用者は、便座２９から便蓋３０を分離することができる。前記使用者は、小便及び／または大便のために便座２９に安着することができる。
【００８８】
以上、添付された図面を参照して本発明の実施形態を説明したが、本発明が属する技術分野で通常の知識を有する者は、本発明がその技術的思想や必須な特徴を変更しなくても他の具体的な形態として実施されるものと理解されるであろう。よって、上述の実施形態はすべての面から例示的なものであって、限定的でないものを理解すべきである。
【符号の説明】
【００８９】
３、６、９    筒
１０    本体
１４    ボタン操作部
１８    ボタン
２３    便座台
２６    便座シート
２９    便座
３０    便蓋
３１    密閉部
３２    密接部
３０Ａ１、３０Ａ２    面
４０    電線
６０    座便器
７０    トイレドア
７５    室内
８０    壁
９０    トイレ
Ａ    温水洗浄機
Ｃ１、Ｃ２    変曲点
ＣＳ    接触面
Ｅ１、Ｅ２    延長線
Ｈ１、Ｈ２、Ｈ    高さ
ＩＰ    傾斜面
Ｌ１、Ｌ２、Ｌ３    ライン
Ｐ１、Ｐ２    回動結合部分
Ｓ１、Ｓ２、Ｓ３、Ｓ４    長さ
ＶＲ    変曲区間
【図１】
0006022505.tif 000002
【図２】
0006022505.tif 000003
【図３】
0006022505.tif 000004
【図４】
0006022505.tif 000005
【図５】
0006022505.tif 000006
【図６】
0006022505.tif 000007
【図７】
0006022505.tif 000008
【図８】
0006022505.tif 000009
【図９】
0006022505.tif 000010
【図１０】
0006022505.tif 000011